(57)【要約】      （修正有）【課題】簡便な操作をするだけで塗布対象毛の部位に対して適度な濃さの塗布液を塗布でき、また身体の特定部位を簡便かつ安全に洗浄できるブラシ用具の提供。【解決手段】ブラシ用具１は、ブラシ体２ａを有するブラシ部２と、ブラシ部２を有し指で持つことが可能な握り軸３とを備え、ブラシ軸方向に延びる開口部４ｂ１と、この開口部を形成する側壁４ｂ２，４ｂ３を含むブラシカバー４を有し、開口部から突出しブラシ軸方向に列になるように延びるブラシ体を、両側壁に圧力を与えて開口部の間隔を狭めて整列させた。【選択図】図１
2013085572.tif 000002
【特許請求の範囲】
【請求項１】
ブラシ体を有するブラシ部と、
前記ブラシ部を有し指で持つことが可能な握り軸とを備え、
ブラシ軸方向に延びる開口部と、この開口部を形成する側壁を含むブラシカバーを有し、
前記開口部から突出しブラシ軸方向に列になるように延びる前記ブラシ体を、前記側壁に圧力を与えて前記開口部の間隔を狭めて整列させたことを特徴とするブラシ用具。
【請求項２】
ブラシ体を有するブラシ部と、
前記ブラシ部を有し指で持つことが可能な握り軸とを備え、
ブラシ軸方向に対して交差する方向に延びる開口部と、この開口部を形成する側壁を含むブラシカバーを有し、
前記開口部から突出しブラシ軸方向に対して交差する方向に列になるように延びる前記ブラシ体を、前記側壁に圧力を与えて前記開口部の間隔を狭めて整列させたことを特徴とするブラシ用具。
【請求項３】
前記開口部を、複数並列に配置し、
前記複数の開口部により前記ブラシ体を整列させたことを特徴とする請求項１または請求項２に記載のブラシ用具。
【請求項４】
前記ブラシカバーは、前記開口部を形成する外面部分に平面または凹みによる液溜まり部を有することを特徴とする請求項１乃至請求項３のいずれか１項に記載のブラシ用具。
【発明の詳細な説明】
【技術分野】
【０００１】
この発明は、化粧用の塗布液を塗布対象毛に塗布する場合に適用して好適であり、また塗布液などを簡便に洗浄できるブラシ用具に関するものである。
【背景技術】
【０００２】
従来からブラシ用具を用いて、例えば、化粧のために目の周囲に塗布される塗布液として、まつ毛についてマスカラ液を塗布したり、目蓋にアイラインを書いたりすることが行われている（特許文献１）。
【０００３】
このようなブラシ用具として、中心線芯材にブラシ毛材を植毛したブラシ型のものや、断面円形の棒状シャフトの外周面に多数の横溝を穿設した溝型のものや、櫛歯を多数配列した櫛型のものや、これらを組合せたものが種々提案されている（特許文献２及び３参照）。
【先行技術文献】
【特許文献】
【０００４】
【特許文献１】特開２００９−６０９９８号公報
【特許文献２】実公平４−３３７９０号公報
【特許文献３】実公平４−３６７３６号公報
【発明の概要】
【発明が解決しようとする課題】
【０００５】
このような従来の手法は、塗布液を除去することにまつ毛を擦ったり挟んだりすることになるので、結局まつ毛が抜けたり、折れたり、曲ったりすることによりまつ毛を傷めるような結果になっている。
【０００６】
実際上、まつ毛は髪の毛のように毛量が多くなく、極めて少ないのであるから、抜けたり折れたりさせるようなことはできるだけ回避することが望ましい。
【０００７】
また、塗布対象毛に塗布液を塗布しようとする場合、塗布対象毛の部位について、濃く塗布したい部位と、薄く塗布したい部位とがあり、例えばまつ毛の根元にマスカラを濃く塗布すると共に、先端に行くに従って薄くするといったことが簡便にできれば、化粧後の見栄えや化粧くずれの予防などの化粧効果を一段と向上させることができると考えられる。
【０００８】
この発明は、以上の点を考慮してなされたもので、簡便な操作をするだけで塗布対象毛の部位に対して適度な濃さの塗布液を塗布でき、また身体の特定部位を簡便かつ安全に洗浄できるブラシ用具を提案することを目的とする。
【課題を解決するための手段】
【０００９】
前記課題を解決し、かつ目的を達成するために、この発明は、以下のように構成した。  
【００１０】
請求項１の記載の発明は、ブラシ体を有するブラシ部と、
前記ブラシ部を有し指で持つことが可能な握り軸とを備え、
ブラシ軸方向に延びる開口部と、この開口部を形成する側壁を含むブラシカバーを有し、
前記開口部から突出しブラシ軸方向に列になるように延びる前記ブラシ体を、前記側壁に圧力を与えて前記開口部の間隔を狭めて整列させたことを特徴とするブラシ用具である。
【００１１】
請求項２の記載の発明は、ブラシ体を有するブラシ部と、
前記ブラシ部を有し指で持つことが可能な握り軸とを備え、
ブラシ軸方向に対して交差する方向に延びる開口部と、この開口部を形成する側壁を含むブラシカバーを有し、
前記開口部から突出しブラシ軸方向に対して交差する方向に列になるように延びる前記  ブラシ体を、前記側壁に圧力を与えて前記開口部の間隔を狭めて整列させたことを特徴とするブラシ用具である。
【００１２】
請求項３の記載の発明は、前記開口部を、複数並列に配置し、
前記複数の開口部により前記ブラシ体を整列させたことを特徴とする請求項１または請求項２に記載のブラシ用具である。
【００１３】
請求項４の記載の発明は、前記ブラシカバーは、前記開口部を形成する外面部分に平面または凹みによる液溜まり部を有することを特徴とする請求項１乃至請求項３のいずれか１項に記載のブラシ用具である。
【発明の効果】
【００１４】
前記構成により、この発明は、以下のような効果を有する。
【００１５】
請求項１に記載の発明では、ブラシ軸方向に延びる開口部と、この開口部を形成する側壁を含むブラシカバーを有し、開口部から突出しブラシ軸方向に列になるように延びるブラシ体を、側壁に圧力を与えて開口部の間隔を狭めて整列させたことで、ブラシ体がそれ以上倒れないように整列して支持され、確実に洗浄したり、塗布することができ、しかも洗浄時や塗布時に液が飛散することを防止できる。
【００１６】
請求項２に記載の発明では、ブラシ軸方向に対して交差する方向に延びる開口部と、この開口部を形成する側壁を含むブラシカバーを有し、開口部から突出しブラシ軸方向に対して交差する方向に列になるように延びるブラシ体を、側壁に圧力を与えて開口部の間隔を狭めて整列させたことで、ブラシ体がそれ以上倒れないように整列して支持され、確実に洗浄したり、塗布することができ、しかも洗浄時や塗布時に液が飛散することを防止できる。
【００１７】
請求項３の記載の発明では、開口部を、複数並列に配置し、複数の開口部によりブラシ体を整列させたことで、複数並列のブラシ体により確実に洗浄したり、塗布することができ、しかもブラシ体の間が液溜まりとなり、塗布を一層確実に行うことができる。
【００１８】
請求項４の記載の発明では、ブラシカバーは、開口部を形成する外面部分に平面または凹みによる液溜まり部を有することで、液溜まりにより塗布を一層確実に行うことができる。
【図面の簡単な説明】
【００１９】
【図１】第１の実施の形態のブラシ用具を示す図である。
【図２】ブラシカバー、ブラシ部、握り軸の組付けを示す図である。
【図３】ブラシ用具の構成を示す図である。
【図４】ブラシ部にブラシカバーを設ける状態を示す図である。
【図５】ブラシ体を整列させる状態を示す図である。
【図６】ブラシ体の開口部の構成示す図である。
【図７】液溜まり部の構成を示す図である。
【図８】ブラシ部の整列を説明する図である。
【図９】ブラシ体を開口部から挿入する状態を示す図である。
【図１０】ブラシ部の側面図である。
【図１１】ブラシ部の開口部の形状を示す図である。
【図１２】第２の実施の形態のブラシ具を示す図である。
【図１３】ブラシ部の組付けを示す図である。
【図１４】ブラシ部の側面図である。
【図１５】ブラシ部の底面形状を示す図である。
【発明を実施するための形態】
【００２０】
以下、この発明のブラシ用具の実施の形態について説明する。この実施の形態はブラシ用具の好ましい形態を示すものであるが、この発明はこれに限定されない。
【００２１】
［第１の実施の形態］
（ブラシ用具の構成）
この第１の実施の形態のブラシ用具を、図１に基づいて説明する。図１（ａ）はブラシカバーを設けたブラシ部の側面図、図１（ｂ）はブラシ部にブラシカバーを設ける状態の側面図、図１（ｃ）はブラシ部の断面図、図１（ｄ）は開口部の間隔を狭めた図１（ａ）の（ｄ）−（ｄ）の断面図である。
【００２２】
この実施の形態のブラシ用具１は、ブラシ部２と、握り軸３と、ブラシカバー４とを備え、ブラシカバー４はブラシ部２及び握り軸３とは別体成形される。ブラシカバー４は、アルミニウム合金などの軽金属など圧力により変形可能な材料で成形され、また熱可塑性をもつ合成樹脂、例えばポリエチレン、ポリプロピレン、ポリ塩化ビニル、弗素樹脂などがあり、加熱して圧力により変形可能な材料で成形される。
【００２３】
ブラシ部２は、握り軸３から先方に突出させるように取り付け、周囲外方に多数のブラシ毛材２ｆを突出させることによりブラシ体２ａを形成している。ブラシ体２ａは、１本のステンレス線を折り返すことにより、一対の線材２ｂ及び２ｃを用意し、線材２ｂ及び２ｃの間に合成樹脂材料（ナイロン、テトロン、ポリエステル、ＰＰ等）でなるブラシ毛材２ｆを配設し、この状態で線材２ｂ及び２ｃの折り返し点を固定し、この両端をねじることにより、互いにねじり合わされた線材２ｂ及び２ｃ間に形成される螺旋状に多数のブラシ毛材２ｆを挟着保持してなり、ブラシ体２ａは、捩りブラシである。
【００２４】
ブラシ毛材２ｆの太さは、例えばナイロン、ポリエステルの糸をカットしたまま使用する使う時、特に化粧品メイキャップブラシに使う時は、直径０．１６ｍｍまでとし、糸の先を針状加工した糸は直径０．２１ｍｍまでとする。このブラシ毛材２ｆは、合成樹脂材料に限定されず、動物、植物から得られるものであってもよく、太さも特に限定されない。
【００２５】
ブラシカバー４は、筒状であり、取付部４ａとカバー部４ｂとを有し、カバー部４ｂには、ブラシ軸方向に直線状に所定幅の開口部４ｂ１が形成され、この開口部４ｂ１によって、開口部４ｂ１の両側に側壁４ｂ２，４ｂ３が形成される。
【００２６】
カバー部４ｂの先端部４ｂ４を先に、ブラシ部２の線材２ｂ及び２ｃの先端部に係合し、その後に取付部４ａをカバー取付部３ａに嵌め込み取り付け、カバー部４ｂにブラシ部２を挿入する。このブラシ部２の挿入は、カバー部４ｂの開口部４ｂ１から挿入してもよく、また取付部４ａ側から挿入してもよい。カバー部４ｂにブラシ部２を挿入することで、ブラシ体２ａの一部のブラシ毛材２ｆが挿入方向に倒れ、開口部４ｂ１の部分に位置するブラシ体２ａの一部のブラシ毛材２ｆが開口部４ｂ１から突出して立ち上がり、このブラシ毛材２ｆは、側壁４ｂ２，４ｂ３によってブラシ軸方向に列になるように寄せられるが、ブラシ毛材２ｆはバラけた状態である（図１（ｃ））。
【００２７】
ブラシ体２ａのブラシ毛材２ｆは、開口部４ｂ１から突出しブラシ軸方向に列になるように延びているが、ブラシ毛材２ｆはバラけた状態であり、カバー部４ｂの側壁４ｂ２，４ｂ３に圧力を与えて開口部４ｂ１の間隔を狭めて整列させることで、側壁４ｂ２，４ｂ３によってブラシ体２ａのブラシ毛材２ｆがそれ以上倒れないように整列して支持され、確実に洗浄したり、塗布することができ、しかも洗浄時や塗布時に液が飛散することを防止できる（図１（ｄ））。
【００２８】
このように、カバー部４ｂの側壁４ｂ２，４ｂ３に圧力を与えて開口部４ｂ１の間隔を狭めて整列させるが、ブラシカバー４がアルミニウム合金などの軽金属などである場合には、プレスなどによって圧力を与えて変形し、また熱可塑性をもつ合成樹脂などである場合には、加熱して圧力を与えて変形し、開口部４ｂ１の間隔を狭めて整列させる。
【００２９】
（ブラシ部と握り軸の構成）
図１の実施の形態では、ブラシ部２と握り軸３を組み付け、これにブラシカバー４を組み付けるが、これに限定されない。図２はブラシカバー、ブラシ部、握り軸の組付けを示し、図２（ａ）はブラシカバー、ブラシ部の組付けを示す図、図２（ｂ）はブラシカバー及びブラシ部と握り軸の組付けを示す図である。この実施の形態では、ブラシ部２と握り軸３を別体に形成し、ブラシ部２をブラシカバー４に取り付け、開口部４ｂ１から突出しブラシ軸方向に列になるように延びるブラシ体２ａを、側壁４ｂ２，４ｂ３に圧力を与えて開口部４ｂ１の間隔を狭めて整列させ、このブラシ部２を握り軸３に取り付ける。
【００３０】
（ブラシカバーの構成）
図１及び図２の実施の形態では、ブラシ用具１のブラシカバー４は、ブラシ軸方向に延びる開口部４ｂ１と、この開口部４ｂ１を形成する側壁４ｂ２，４ｂ３を含む構成であるが、これに限定されることなく、図３及び図４に示すように構成することができる。図３はブラシ用具の構成を示し、図３（ａ）はブラシ用具の断面図、図３（ｂ）はブラシ部の断面図、図３（ｃ）は開口部の間隔を狭めた図３（ａ）の（ｃ）−（ｃ）の断面図である。図４はブラシ部にブラシカバーを設ける状態を示し、図４（ａ）はブラシ部にブラシカバーを挿入する状態の側面図、図４（ｂ）は図４（ａ）の（ｂ）−（ｂ）の断面図である。
【００３１】
この実施の形態のブラシカバー１４は、カバー部１４ｃが取付部１４ｂの先端に連続して一体に成形され、カバー部１４ｃの径は取付部１４ｂの径より小径になってブラシ部２が挿入可能な大きさになっている。カバー部１４ｃの先端部１４ｃ３は閉塞され、この先端部１４ｃ３に半球状の凹み部１４ｃ４が形成され、この凹み部１４ｃ４にブラシ部２の線材２ｂ及び２ｃの先端が嵌合して支持される。
【００３２】
カバー部１４ｃの外周には、周方向の溝１４ｃ１、周方向の突条１４ｃ２を有し、周方向の突条１４ｃ２によって、この周方向の突条１４ｃ２の間に周方向の溝１４ｃ１が形成されているが、カバー部１４ｃの外周に周方向の溝１４ｃ１、または周方向の突条１４ｃ２のみを形成してもよい。
【００３３】
カバー部１４ｃには、ブラシ軸方向に直線状に所定幅の開口部１４ｃ１０が形成され、この開口部１４ｃ１０によって、開口部１４ｃ１０の両側に側壁１４ｃ１１，１４ｃ１２が形成される。カバー部１４ｃにブラシ部１２を挿入すると、ブラシ体１２ｆの一部が挿入方向に倒れ、開口部１４ｃ１０の部分に位置するブラシ体１２ｆの一部が開口部１４ｃ１０から突出して立ち上がり、このブラシ体１２ｆの一部は、両側の側壁１４ｃ１１，１４ｃ１２に圧力を与えて開口部１４ｃ１０の間隔を狭めて整列させている。
【００３４】
（ブラシ部の整列）
ブラシ部の整列は、図１乃至図４に示すように構成されるが、図５乃至図１０に示すように構成することができる。図５はブラシ体を整列させる状態を示す図である。ブラシ部２のブラシ体２ａは、図１乃至図４の実施の形態と同様に捩りブラシであり、ブラシカバー４のカバー部４ｂに形成した開口部４ｂ１から突出しブラシ軸方向に列になるように延びる捩りブラシのブラシ体２ａを、側壁４ｂ２、４ｂ３に圧力を与えて開口部４ｂ１の間隔を狭めて整列させ、図５（ａ）では１列に整列させ、図５（ｂ）では２列に整列させ、図５（ｃ）では多列に整列させているが、これに限定されない。
【００３５】
捩りブラシのブラシ体２ａは、線材２ｂ及び２ｃの間に合成樹脂材料でなるブラシ毛材２ｆを配設し、この状態で線材２ｂ及び２ｃの折り返し点を固定し、この両端をねじることにより、互いにねじり合わされた線材２ｂ及び２ｃ間に形成される螺旋状に多数のブラシ毛材２ｆを挟着保持してなり、この線材２ｂ及び２ｃの太さ、ブラシ毛材２ｆの個数などを調整し、また開口部４ｂ１の間隔を調整して図５（ａ）乃至図５（ｃ）のように整列する。
【００３６】
ブラシカバー４は、開口部４ｂ１を有し、この開口部４ｂ１は、図６に示すように、１個でもよいし、複数並列に配置してもよい。図６はブラシ体の開口部の構成示す図である。図６（ａ）では、１個配置し、図６（ｂ）では、２個配置し、図６（ｃ）では、３個配置しており、いずれの場合も側壁４ｂ２，４ｂ３に圧力を与えて開口部４ｂ１の間隔を狭めてブラシ体２ａを整列させた。ブラシ用具の使用に応じて、１個のもの、また複数並列のものを用いることができるが、複数並列のものでは、ブラシ体２ａの間が液溜まりとなり、塗布を一層確実に行うことができる。
【００３７】
また、ブラシカバー４は、図７に示すように、開口部４ｂ１を形成する外面部分に平面４ｃまたは凹み４ｄによる液溜まり部１０を有する構成とすることができる。図７は液溜まり部の構成を示す図である。図７（ａ）では、１個の開口部４ｂ１の両側に平面４ｃによる液溜まり部１０が、図７（ｂ）では、１個の開口部４ｂ１の両側に凹み４ｄによる液溜まり部１０が、図７（ｃ）では、３個の開口部４ｂ１の両側に平面４ｃによる液溜まり部１０がそれぞれ形成され、いずれの場合も側壁４ｂ２，４ｂ３に圧力を与えて開口部４ｂ１の間隔を狭めてブラシ体２ａを整列させた。
【００３８】
このブラシ用具１は、ユーザが握り軸３を手にもって、ブラシ部２を塗布液容器に差し入れて塗布液に浸した後、これを外部に引き抜くことにより、ブラシ部２に付着した塗布液が液溜まり部１０に溜まり、例えば睫毛にマスカラのボリューム塗布ができる。
【００３９】
このブラシ部２の整列は、図８に示すように、カバー部４ｂの側壁４ｂ２，４ｂ３に圧力を与えて開口部４ｂ１の間隔を狭めてブラシ体２ａを整列させることができる。図８はブラシ部の整列を説明する図である。図８（ａ）では、カバー部４ｂに開口部４ｂ１を形成し、この開口部４ｂ１の部分をつぶすように、側壁４ｂ２，４ｂ３にプレスにより圧力を与えて開口部４ｂ１の間隔を狭めてブラシ体２ａを整列させ、かつ開口部４ｂ１の両側に平面４ｃによる液溜まり部１０を形成した。図８（ｂ）では、カバー部４ｂの一部を切断して開口部４ｂ１を形成し、この開口部４ｂ１の部分をつぶすように、側壁４ｂ２，４ｂ３にプレスにより圧力を与えて開口部４ｂ１の間隔を狭めてブラシ体２ａを整列させ、かつ開口部４ｂ１の両側に平面４ｃによる液溜まり部１０を形成した。図８（ｃ）では、カバー部４ｂの一部を切断して開口部４ｂ１を形成し、側壁４ｂ２，４ｂ３の両側からプレスにより圧力を与えて開口部４ｂ１の間隔を狭めてブラシ体２ａを整列させ、かつ開口部４ｂ１の両側に平面４ｃによる液溜まり部１０を形成した。
【００４０】
ブラシ体２ａは捩りブラシであり、図９はブラシ体を開口部から挿入する状態を示す図である。螺旋状に多数のブラシ毛材２ｆを挟着保持してなるが、図９（ａ）乃至（ｃ）に示すように、多数のブラシ毛材２ｆを板状に、またＶ字状、Ｗ字状などに加工し、カバー部４ｂの開口部４ｂ１に挿入し、側壁４ｂ２，４ｂ３に圧力を与えて開口部４ｂ１の間隔を狭めてブラシ体２ａを整列させることもできる。このブラシ体２ａの開口部４ｂ１への挿入は、カバー部４ｂの開口部４ｂ１から挿入しても、カバー部４ｂの軸方向から挿入してもよい。
【００４１】
また、図１０はブラシ部の側面図であり、ブラシ部２は、図１０（ａ）乃至（ｄ）に示すように、カバー部４ｂの開口部４ｂ１から突出して整列するブラシ体２ａの側面形状を平面状、傾斜状、凹面状、凸面状などに形成してもよい。
【００４２】
また、図１１はブラシ部の開口部の形状を示す図であり、図１１（ａ）乃至（ｉ）に示すように、カバー部４ｂの開口部４ｂ１を軸方向に直線状や変形した形状に形成することができる。図１１（ａ）では開口部４ｂ１を１本で直線状に形成し、図１１（ｂ）では開口部４ｂ１を２本で直線状に形成し、図１１（ｃ）では開口部４ｂ１を１本で波状に形成し、図１１（ｄ）では開口部４ｂ１を３本で波状に形成し、図１１（ｅ）では開口部４ｂ１を１本で曲線状に形成し、図１１（ｆ）では開口部４ｂ１を２本で曲線状に形成し、図１１（ｇ）では開口部４ｂ１を１本で凹凸状に形成し、図１１（ｈ）では開口部４ｂ１を１本でＶ字線状に形成し、図１１（ｉ）では開口部４ｂ１を１本で直線状に形成し、かつ先端まで開口しており、ブラシ体２ａの先端部が放射状に突出する構成である。図１１（ｉ）ではカバー部４ｂの周面に溝を形成しているが、図１１（ａ）乃至（ｈ）でも同様に溝を形成してもよい。
【００４３】
［第２の実施の形態］
（ブラシ用具の構成）
この第２の実施の形態のブラシ用具を、図１２及び図１３に基づいて説明する。図１２（ａ）はブラシ用具の斜視図、図１２（ｂ）はブラシ用具の断面図である。図１３（ａ）はブラシ部の組付けを示す図、図１３（ｂ）はブラシ部の整列を示す図である。
【００４４】
この実施の形態のブラシ用具１１は、ブラシ部１２と、握り軸１３と、ブラシカバー２４とを備え、握り軸１３とブラシカバー２４は樹脂、アルミニウム合金などの軽金属などで一体に成形しているが、別体に形成してもよい。
【００４５】
ブラシ部１２は、多数のブラシ毛材１２ｆの端部を結束部１２ｂにより結束させることによりブラシ体１２ａを形成している。ブラシ毛材１２ｆは、合成樹脂材料（ナイロン、テトロン、ポリエステル、ＰＰ等）でなる。ブラシ毛材１２ｆの太さは、例えばナイロン、ポリエステルの糸をカットしたまま使用する使う時、特に化粧品メイキャップブラシに使う時は、直径０．１６ｍｍまでとし、糸の先を針状加工した糸は直系０．１１ｍｍまでとする。
【００４６】
ブラシカバー２４のカバー部２４ｂは、ブラシ部１２が挿入可能な形状に形成され、このカバー部２４ｂには、ブラシ軸方向に対して交差する方向に延びる開口部２４ｂ１が直線状に所定幅で形成され、この開口部２４ｂ１によって、開口部２４ｂ１の両側に側壁２４ｂ２，２４ｂ３が形成される。
【００４７】
カバー部２４ｂの側部に形成した挿入開口部２４ｂ１０からブラシ部１２を挿入することで、ブラシ体１２ａの一部のブラシ毛材１２ｆが挿入方向に倒れ、開口部２４ｂ１の部分に位置するブラシ体１２ａの一部のブラシ毛材１２ｆが開口部２４ｂ１から突出して立ち上がり、このブラシ毛材１２ｆは、側壁２４ｂ２，２４ｂ３によってブラシ軸方向に対して交差する方向に列になるように寄せられるが、ブラシ毛材１２ｆはバラけた状態である（図１３（ｂ））。
【００４８】
このように、ブラシ体１２ａは、開口部２４ｂ１から突出しブラシ軸方向に対して交差する方向に列になるように延びているが、ブラシ毛材１２ｆはバラけた状態であり、側壁２４ｂ２，２４ｂ３に圧力を与えて開口部２４ｂ１の間隔を狭めて整列させることで、側壁２４ｂ２，２４ｂ３によってブラシ体１２ａのブラシ毛材１２ｆがそれ以上倒れないように整列して支持され、確実に洗浄したり、塗布することができ、しかも洗浄時や塗布時に液が飛散することを防止できる（図１２（ａ））。
【００４９】
ブラシカバー１４の構成は、カバー部２４ｂの外周に、図３及び図４の実施の形態に示すように、溝、突条を形成してもよい。
【００５０】
（ブラシ部）
次に、ブラシ部の構成を、図１４及び図１５に基づいて説明する。図１４はブラシ部の側面図、図１５はブラシ部の底面形状を示す図である。ブラシ部１２は、図１４に示すように、多数のブラシ毛材１２ｆの端部を結束部１２ｂにより結束させることによりブラシ体１２ａを形成しているが、結束部１２ｂの構成は、図１４（ａ）では熱溶着で結束され、図１４（ｂ）では接着剤で結束され、図１４（ｃ）では糸結びで結束され、図１４（ｄ）では金属パイプで結束されているが、これに限定されない。
【００５１】
また、ブラシ部の結束部１２ｂの底面形状は、図１５（ａ）では円形状であり、図１５（ｂ）ではトラック形状であり、図１５（ｃ）では四角形状であり、図１５（ｄ）では長方形形状であるが、これに限定されない。
【００５２】
［ブラシ用具の用途］
この実施の形態のブラシ用具は、身体の特定部位を簡便かつ安全に洗浄できるようにし、また簡便な操作をするだけで塗布対象毛の部位に対して適度な濃さの塗布液を塗布できる。例えば、マスカラブラシ、アイブローブラシ、アイシャドーブラシ、マネキュアブラシ、アイライナー、リップブラシ、育毛ブラシ、各種洗浄ブラシなどに用いることができる。
【産業上の利用可能性】
【００５３】
この発明は、化粧用の塗布液を塗布対象毛に塗布する場合に適用して好適であり、また塗布液などを簡便に洗浄できるブラシ用具に適用可能であり、簡便な操作をするだけで塗布対象毛の部位に対して適度な濃さの塗布液を塗布でき、また身体の特定部位を簡便かつ安全に洗浄できる。
【符号の説明】
【００５４】
１  ブラシ用具
２，１２  ブラシ部
２ａ，１２  ブラシ体
２ｆ，１２ｆ  ブラシ毛材
２ｂ，２ｃ  線材
３，１３  握り軸
４，１４，２４  ブラシカバー
４ａ，１４ｂ  取付部
４ｂ，１４ｃ，２４ｂ  カバー部
４ｂ１，１４ｃ１０，２４ｂ１  開口部
４ｂ２，４ｂ３，１４ｃ１１，１４ｃ１２，２４ｂ２，２４ｂ３  側壁
４ｃ  平面
４ｄ  凹み
１０  液溜まり部
【図１】
2013085572.tif 000003
【図２】
2013085572.tif 000004
【図３】
2013085572.tif 000005
【図４】
2013085572.tif 000006
【図５】
2013085572.tif 000007
【図６】
2013085572.tif 000008
【図７】
2013085572.tif 000009
【図８】
2013085572.tif 000010
【図９】
2013085572.tif 000011
【図１０】
2013085572.tif 000012
【図１１】
2013085572.tif 000013
【図１２】
2013085572.tif 000014
【図１３】
2013085572.tif 000015
【図１４】
2013085572.tif 000016
【図１５】
2013085572.tif 000017